(57)【要約】【課題】左右（横幅）寸法をバルコニー等の間口寸法に対応して調節でき、左右寸法が大きくなっても優れた排水性能を維持でき、防水パン下側の点検やメンテナンスを容易に行える防水パンを提供する。【解決手段】左右の端パンＰ１，Ｐ２同士を水密的に連結するか、又は、一つ以上の中間パンと左右の端パンを水密的に連結して形成される防水パンＰであって、端パン及び上記中間パンの前縁沿いに矩形状の開口部３を形成し、各開口部に両端が閉鎖された樋部材４ａ，４ｂを水密的に嵌着すると共に、各樋部材の排水口４３から排出される水を合流させて排水する排水管路を設けた構成の防水パンとする。中間パンの連結個数を増減して防水パンＰの左右寸法を調節でき、また雨水は各樋部材４ａ，４ｂに分かれて流れ込み、各々の排水口から排水管路を通じてすみやかに排水されるので、左右寸法の大きい防水パンを組立てた場合でも優れた排水性能が維持される。樋部材４ａ，４ｂを取外せば開口部３を通して防水パンの下側の点検やメンテナンスを簡単に行える。【選択図】  図１
2005076179.tif 000002
【特許請求の範囲】
【請求項１】
左右の端パン同士を水密的に連結するか、又は、一つ以上の中間パンと左右の端パンを水密的に連結して形成される、四周に側壁を備えた方形の防水パンであって、上記端パン及び上記中間パンの前縁沿いに矩形状の開口部を形成し、各開口部に両端が閉鎖された樋部材を水密的に嵌着すると共に、各樋部材の底面の排水口から排出される水を合流させて排水する排水管路を設けたことを特徴とする防水パン。
【請求項２】
前記樋部材の底面を傾斜させ、その最深部に排水口を形成した請求項１に記載の防水パン。
【請求項３】
左側の前記端パンの矩形状開口部に嵌着した樋部材は、その底面を右端側から左端側に近づくほど徐々に低くなるように傾斜させてその左端部に排水口を形成した左落しの樋部材であり、右側の前記端パンの矩形状開口部に嵌着した樋部材は、その底面を左端側から右端側に近づくほど徐々に低くなるように傾斜させてその右端部に排水口を形成した右落しの樋部材であり、前記中間パンの矩形状開口部に嵌着した樋部材は、その底面を左右両端から中央に近づくほど徐々に低くなるように傾斜させてその中央部に排水口を形成した中落しの樋部材、又は、上記の左落しの樋部材、又は、上記の右落しの樋部材のいずれかである請求項２に記載の防水パン。
【請求項４】
前記排水管路を通す略直方体形状の上端が開口したボックスを前記樋部材の下側にそれぞれ設置し、このボックスによって前記端パン及び前記中間パンの矩形状開口部の周縁を支持させた請求項１に記載の防水パン。
【請求項５】
排水管路の途中に蛇腹筒状の伸縮継手を設け、この伸縮継手を前記ボックスの相互間に架け渡した請求項４に記載の防水パン。
【発明の詳細な説明】
【０００１】
【発明の属する技術分野】
本発明は、バルコニーやテラスなどに敷設される合成樹脂製の防水パンに関する。
【０００２】
【従来の技術】
バルコニーやテラスなどに敷設される合成樹脂製の一般的な防水パンは、その前縁沿いに樋部が設けられ、該樋部の一端に形成された排水口に排水管が接続されるようになっている。このような防水パンでは、樋部の水の流れを良くするために、排水口に近づくほど樋部の底面が低くなるように底面に傾斜をつけることが多い。けれども、上記の防水パンは合成樹脂の一体成形品であるため、バルコニーやテラスの間口寸法（横幅寸法）が大きい場合には対応し難いという問題があった。
【０００３】
そこで、左右の端パン同士を水密的に連結するか、又は、一つ以上の中間パンと左右の端パンを水密的に連結してなる連結タイプの防水パンが開発された。この連結タイプの防水パンは、中間パンの連結個数を増減することによってバルコニーなどの間口寸法が広くても狭くても対応できるものである。しかしながら、この連結タイプの防水パンは、前縁沿いの樋部の底面に傾斜をつけると、中間パンの連結個数を増減させたときに樋部相互の連結端の底面の深さが合わなくなるため、樋部の底面に傾斜をつけて速やかに排水させることが難しいという問題があった。
【０００４】
これに対し、本出願人は、前縁に樋部を持たない左右の端パン本体及び中間パン本体を連結した連結型の防水パン本体と、底面の傾斜角度や長さが異なる数種類の樋構成部材を組合わせて連結した連結型の樋部とを別個に作製し、この連結型の樋部を連結型のパン本体の前縁に水密的に取付けるようにした連結型の防水パンを開発した（例えば特許文献１参照）。この防水パンは、中間パン本体の連結個数を増減して防水パン本体の左右（横幅）寸法を調節すると共に、この左右寸法に合致するように樋構成部材を組合わせて連結した底面が傾斜する樋部を防水パン本体の前縁に取付けることによって、種々異なる間口寸法のバルコニー等に適合する防水パンを得ることができ、しかも、樋部の底面が一端から他端に近づくほど低くなるように傾斜しているため水の流れが良好で該樋部の他端の排水口から効率良く排水できる。
【０００５】
【特許文献１】
特開２００２−１３１９０号公報（第３図）
【０００６】
【発明が解決しようとする課題】
しかしながら、上記特許文献１の防水パンは、その左右（横幅）寸法が大きくなるほど、換言すれば分割型の樋部が長くなるほど、該樋部の底面の平均傾斜角が小さくなって水の流れが悪くなるため排水性能が低下するという問題があり、しかも、排水口が該樋部の他端の最深部に一つ形成されているだけであるため、特に大雨が降ると排水量が不足して雨水が該樋部から溢れ出す心配があった。また、連結型の樋部は樋構成部材の相互の連結部分に多少の凹凸が存在するため、雨が止むと該連結部分に少量の雨水が滞溜して汚れやすいという問題もあった。
【０００７】
本発明は上記の問題に対処すべくなされたもので、その目的とするところは、バルコニー等の間口寸法に対応して左右（横幅）寸法を調節でき、左右寸法が大きくなっても優れた排水性能を維持し、樋部の底面に雨水が滞溜して汚れることもない連結型の防水パンを提供することにある。
【０００８】
【課題を解決するための手段】
上記目的を達成するため、本発明に係る防水パンは、左右の端パン同士を水密的に連結するか、又は、一つ以上の中間パンと左右の端パンを水密的に連結して形成される、四周に側壁を備えた方形の防水パンであって、上記端パン及び上記中間パンの前縁沿いに矩形状の開口部を形成し、各開口部に両端が閉鎖された樋部材を水密的に嵌着すると共に、各樋部材の底面の排水口から排出される水を合流させて排水する排水管路を設けたことを特徴とするものである。
【０００９】
このような構成の防水パンは、中間パンの連結個数を増減することによって、バルコニー等の間口寸法に適合するように防水パンの左右（横幅）寸法を調節することができる。また、防水パンに降った雨水は、左右の端パン及び中間パンのそれぞれの開口部に嵌着された樋部材に分かれて流れ込み、それぞれの樋部材の排水口から排水管路へ排出されて管路内で合流し、すみやかに排水される。従って、中間パンの連結個数を増加して左右寸法の大きい防水パンを組立てた場合でも、それぞれの樋部材によって優れた排水性能が維持されると共に十分な排水量が確保されるので、大雨が降っても溢れる心配が解消される。しかも、それぞれの樋部材は独立し、互いに連結されていないため、従来の連結型の樋部を取付けた防水パンのように、雨が止んだときに少量の雨水が連結部分に滞溜して汚れることもない。また、樋部材を開口部から取外せば、開口部を通して防水パンの下側の排水管路等の点検を簡単に行うこともできる。
【００１０】
本発明の防水パンにおいては、それぞれの樋部材の底面を傾斜させ、その最深部に排水口を形成することが望ましい。このようにすると、樋部材の水の流れが良くなり、それぞれの樋部材に流れ込んだ雨水が傾斜した底面の上を排水口に向かって速やかに流れるため、排水性能が一層向上する。
【００１１】
また、本発明の防水パンにおいては、左側の端パンの矩形状開口部に嵌着した樋部材が、その底面を右端側から左端側に近づくほど徐々に低くなるように傾斜させてその左端部に排水口を形成した左落しの樋部材であり、右側の端パンの矩形状開口部に嵌着した樋部材が、その底面を左端側から右端側に近づくほど徐々に低くなるように傾斜させてその右端部に排水口を形成した右落しの樋部材であり、中間パンの矩形状開口部に嵌着した樋部材が、その底面を左右両端から中央に近づくほど徐々に低くなるように傾斜させてその中央部に排水口を形成した中落しの樋部材、又は、上記の左落しの樋部材、又は、上記の右落しの樋部材のいずれかであることが望ましい。このように樋部材を選択使用すると、後述するように排水管路の配管作業がしやすくなり、排水性能も向上する。
【００１２】
更に、本発明の防水パンにおいては、排水管路を通す略直方体形状の上端が開口したボックスを樋部材の下側にそれぞれ設置し、このボックスによって端パン及び中間パンの矩形状開口部の周縁を支持させることが望ましい。このようにすると、端パンや中間パンの前縁部分に荷重がかかっても、前縁沿いに形成された矩形状開口部周縁がボックスで支持されているため、前縁部分が下方に撓んだり破損したりすることはない。そして、樋部材を水密的に嵌着した開口部から水が万一漏れたとしても、漏れた水がボックスで受け止められるため、外部に漏水することがない。
【００１３】
また、本発明の防水パンにおいては、排水管路の途中に蛇腹筒状の伸縮継手を設け、この伸縮継手をボックスの相互間に架け渡すことが望ましい。このようにすると、排水管路の熱伸縮が伸縮継手によって吸収されるため、排水管路が長い場合でも熱伸縮に伴うトラブルを解消することができる。
【００１４】
【発明の実施の形態】
以下、図面を参照して本発明の具体的な実施形態を詳述する。
【００１５】
図１は本発明の一実施形態に係る防水パンの分解斜視図、図２は同防水パンの縦断面図、図３は同防水パンの一施工例を示す横断面図、図４は同防水パンの部分拡大図である。
【００１６】
この防水パンＰは、図１，図２に示すように、左右の端パンＰ１，Ｐ２を連結して組立てられる二連結型の防水パンであって、端パンＰ１，Ｐ２はいずれもＳＭＣ（シートモールディングコンパウンド）等の材料をプレス成形したものである。
【００１７】
左側の略正方形の平面形状を有する端パンＰ１は、その左端と前後両端に側壁１がコ字状に形成されており、右側の略正方形の平面形状を有する端パンＰ２は、その右端と前後両端に側壁１がコ字状に形成されている。そして、左側の端パンＰ１の右端と右側の端パンＰ２の左端は、互いに重ねて連結される側壁のない連結端２ａ，２ｂに形成されており、防水パッキン（不図示）を挟んで該連結端２ａ，２ｂを重ね合わせて左右の端パンＰ１，Ｐ２を水密的に連結すると、四周に側壁１を備えた長方形の平面形状を有する防水パンＰが組立てられるようになっている。
【００１８】
左右の端パンＰ１，Ｐ２の前縁沿いには矩形状の開口部３，３がそれぞれ形成され、これらの開口部３，３に樋部材４ａ，４ｂが嵌着されている。これらの樋部材４ａ、４ｂはＳＭＣ等をプレス成形したもので、左右両端（長手方向両端）が閉鎖された浅くて細長い樋状に形成されており、上端の四周縁にはフランジ部４１が形成されている。
【００１９】
左側の端パンＰ１の開口部３に嵌着される樋部材４ａは、その底面４２を右端側から左端側に近づくほど徐々に低くなるように傾斜させて１／１００〜３／１００程度の左流れの勾配を付け、最深の左端部の底面に排水口４３を設けた左落しの樋部材とされている。これに対し、右側の端パンＰ２の開口部３に嵌着される樋部材４ｂは、その底面４２を左端側から右端側に近づくほど徐々に低くなるように傾斜させて１／１００〜３／１００程度の右流れの勾配を付け、最深の右端部の底面に排水口４３を設けた右落しの樋部材とされている。但し、この実施形態の防水パンでは、樋部材４ａ，４ｂとして同じ樋部材を使用し、その向きを１８０°反転して左右の端パンＰ１，Ｐ２の開口部３，３に嵌着することで、一方を左落しの樋部材、他方を右落しの樋部材としている。
【００２０】
左右の端パンＰ１，Ｐ２の開口部３，３に嵌め込まれた樋部材４ａ，４ｂは、図３，図４に示すように、そのフランジ部４１を開口部３の厚肉の周縁３１に防水パッキン７を挟んで係止させ、該周縁３１に複数個埋設された埋込ナット８ａに止めネジ８ｂを上方からねじ込んでフランジ部４１を固定することにより、開口部３に水密的かつ脱着可能に取付けられている。
【００２１】
左右の端パンＰ１，Ｐ２の開口部３を除いた表面には、図１，図３に示すように格子状の小溝５が形成されており、また、裏面には、図３に示すように補強用のリブ６が小溝５の位置に合わせて格子状に形成されている。従って、この防水パンＰの表面に降る雨水等は、小溝３を通じて樋部材４ａ，４ｂへすみやかに流れ込むため、防水パン表面の水はけ性能は良好であり、また、歩行の際には足裏が小溝５に適度に引っ掛かって良好な滑り止め作用が発揮されるため、足を滑らせて転倒する心配がなく安全である。しかも、小溝５とリブ６の位置が合致しているため、プレス成形の際に所謂「ヒケ」（防水パンのリブ形成箇所の表面が凹む現象）が発生しても、ヒケの発生箇所が小溝５と一致し、美観が損なわれることはない。
【００２２】
図１，図２に示すように、樋部材４ａ，４ｂの下側には、その排水口４３，４３から排出される雨水等を合流させて排水する排水管路９が設けられている。この排水管路９は、防水パッキン９１を介して一方の左落しの樋部材４ａの排水口４３に接続されたエルボ継手９２と、防水パッキン９１を介して他方の右落しの樋部材４ｂの排水口４３に接続されたチーズ継手９３と、両端がこれらのエルボ継手９２とチーズ継手９３に接続された１／１００〜３／１００程度の流れ勾配を有する排水管９４と、上端がチーズ継手９３に接続された縦の排水管９５によって構成されている。
【００２３】
また、双方の樋部材４ａ，４ｂの下側には、排水管路９の排水管９４を通す略直方体形状の上端が開口したボックス１０，１０がそれぞれ設置され、図２，図３に示すように、これらのボックス１０，１０によって端パン４ａ，４ｂの矩形状開口部３，３の周縁が支持されている。従って、端パン４ａ，４ｂの前縁部分に荷重がかかるようなことがあっても、前縁部分が下方に撓んだり破損したりすることはなく、また、開口部３，３から水が万一漏れるようなことがあったとしても、漏れた水がボックス１０，１０で受け止められるため、外部に漏水する心配はない。
【００２４】
このボックス１０，１０は、長手方向両端面にＵ字状の切欠部１１を形成して排水管路９を通すようにしたもので、その内側には複数の補強用リブ１２が形成されており、前面上端には複数の位置決め用の突片１３が前方に向かって突設されている。そして、右落しの樋部材４ｂの下方に設置されるボックス１０の底には、チーズ継手９３の下端を通す孔、又は、縦の排水管９５を通す孔が形成されている。また、双方のボックス１０，１０は、半筒状の連結部材１４によって連結されるようになっている。
【００２５】
以上のような二連結型の防水パンＰは、次の要領でバルコニー等に敷設施工される。
【００２６】
まず、ボックス１０，１０をバルコニーの床部へ仮置きして、図３に示すようにボックスの突片１３をバルコニーの前壁面１５に当てながらボックス１０，１０の位置決めを行い、連結部材１４でボックス１０，１０を連結した後、固定する。次いで、排水管９４の両端にエルボ継手９２とチーズ継手９３を接着し、この排水管９４をボックス１０，１０の切欠部１１，１１に嵌め込むようにしてボックス１０，１０内に通す。そして、左右の端パンＰ１，Ｐ２を連結して二連結型の防水パンＰを組み立て、図３に示すようにバルコニー床部の支持材１６の上に取付けると共に、ボックス１０，１０で端パンＰ１，Ｐ２の開口部３の周縁３１を支持させる。そして、図２に示すように双方の樋部材４ａ，４ｂの排水口４３，４３をエルボ継手９１とチーズ継手９３に防水パッキン９１，９１を介して水密的にそれぞれ差込み接続しながら、双方の樋部材４ａ，４ｂを双方の端パンＰ１，Ｐ２の開口部３，３に嵌合して既述したように水密的に取付ける。そして、チーズ継手９３の下端が突き出す一方のボックス１０の底面の孔の周りを防水処理すると共に、このチーズ継手９３に縦の排水管９５を接続し、最後に、図３に示すように水切り部材１７を防水パンＰの四周の側壁１の上端部を覆うように取付けて施工を完了する。
【００２７】
上記のように二連結型の防水パンＰをバルコニー等に敷設施工すると、左右の端パンＰ１，Ｐ２の表面に降った雨水等は、小溝５を通って樋部材４ａ，４ｂに流れ込み、双方の樋部材４ａ，４ｂの傾斜した溝底面４２，４２に沿って最深の左端部及び右端部の排水口４３，４３までスムーズに流れる。そして、この雨水等は双方の樋部材４ａ，４ｂの排水口４３，４３から排水管路９へ排出されて管路内で合流し、排水管路９の縦の排水管９５からすみやかに排水される。従って、この二連結型の防水パンＰは、双方の樋部材４ａ，４ｂの水の流れが良好で、双方の排水口４３，４３により十分な排水量を確保できるため、優れた排水性能を有し、大雨が降っても溢れるようなことはない。
【００２８】
しかも、この二連結型の防水パンＰは、双方の樋部材４ａ，４ｂが独立し、互いに連結されていないため、従来の連結型の防水パンの樋部のように、雨が止んだときに少量の雨水が樋部の連結箇所に滞溜して汚れることはない。また、万一、排水管路９の接続箇所や、樋部材４ａ，４ｂを嵌着した開口部３，３から水漏れが生じたとしても、漏れた水はボックス１０，１０によって受け止められるので、外部に漏れ出す心配はない。そして、樋部材４ａ，４ｂを取り外せば、開口部３，３を通して防水パンＰの下側の点検（漏水の有無、漏水の箇所、その他の点検）を行うことができるので、メンテナンスが容易である。
【００２９】
図５は本発明の他の実施形態に係る三連結型の防水パンを一部分解して示す断面図である。
【００３０】
この防水パンＰは、左右の端パンＰ１，Ｐ２と中間パンＰ３を連結して組み立てられる三連結型の防水パンであり、中間パンＰ３の連結個数を増加させることによって四連結以上の多連結型の防水パンとなし得るものである。左右の端パンＰ１，Ｐ２は、図１，図２に示す前述の端パンＰ１，Ｐ２と同一のものであり、この端パンＰ１，Ｐ２の開口部３，３に嵌着される樋部材４ａ，４ｂも前述の左落しの樋部材４ａと右落しの樋部材４ｂと同一のものであるので、説明を省略する。
【００３１】
中間パンＰ３は、その前端と後端に側壁１を備えた略正方形の平面形状を有するものであって、その左端と右端は側壁のない連結端に形成されている。従って、この中間パンＰ３の左右の連結端を左右の端パンＰ１，Ｐ２の連結端に重ね、防水パッキン（不図示）を挟み込んで水密的に連結すると、四周に側壁１を備えた長方形の平面形状を有する三連結型の防水パンＰが組立てられるようになっている。
【００３２】
この中間パンＰ３も、左右の端パンＰ１，Ｐ２と同様に、その表面に前述した格子状の小溝が形成されており、また、裏面には前述した補強用のリブが小溝の位置に合わせて格子状に形成されている。そして、この中間パンＰ３の前縁沿いには矩形状の開口部３が形成されており、その開口部１２に樋部材４ｃが嵌着されている。
【００３３】
この樋部材４ｃは、前述した樋部材４ａ，４ｂと同様に、左右両端（長手方向両端）が閉鎖された浅くて細長い樋状に成形され、上端の四周縁にフランジ部４１が形成されたものであるが、図５に示すように底面４２を左右両端から中央に近づくほど徐々に低くなるように傾斜させて１／１００〜３／１００程度の両側から中央へ向かう流れ勾配を付け、最深の中央部の底面に排水口４３を設けた中落しの樋部材とされている。そして、この樋部材４ｃは中間パン４ｃの開口部３に嵌め込まれ、前述した樋部材４ａ，４ｂと同様に、そのフランジ部４１を開口部３の周縁に係止させて防水パッキンを挟み込むと共に、上方から止めネジを開口部３の周縁の埋込ナットにねじ込んでフランジ部４１を固定することにより、水密的かつ脱着可能に取付けられている。
【００３４】
左右の端パンＰ１，Ｐ２と中間パンＰ３のそれぞれの樋部材４ａ，４ｂ，４ｃ下側には、各樋部材の排水口４３，４３，４３から排出される雨水等を合流させて排水する排水管路９と、この排水管路９を通す直方体形状の上端が開口した三つのボックス１０，１０，１０が配設されている。これらのボックス１０は前述したボックス１０と同じものであり、隣接するボックス１０，１０の相互間には前述の半筒状の連結部材１４が架け渡されている。
【００３５】
排水管路９は、左側の端パンＰ１の左落しの樋部材４ａの排水口４３に防水パッキン９１を介して接続された起点エルボ継手９２と、中間パンＰ３の中落しの樋部材４ｃの排水口４３に防水パッキン９１を介して接続された中間チーズ継手９６と、右側の分割パンＰ２の右落しの樋部材４ｂの排水口４３に防水パッキン９１を介して接続された終点チーズ継手９３と、ボックス相互間の連結部材１４，１４に支持された蛇腹筒状の伸縮継手９７，９７と、これらの継手間に配管された所定の流れ勾配を有する排水管９４と、上端が終点チーズ継手９３に接続された縦の排水管９５によって構成されている。
【００３６】
上記のように排水管路９の途中に蛇腹筒状の伸縮継手９７を設け、この伸縮継手９７をボックス１０，１０の相互間に架け渡すようにすると、排水管路９の熱伸縮が伸縮継手９７によって吸収されるため、排水管路９が長い場合でも熱伸縮に伴うトラブルを解消することができる。
【００３７】
なお、排水管路９の構成はこの実施形態に限定されるものではなく、それぞれの樋部材４ａ，４ｂ，４ｃの排水口４３，４３，４３から雨水等を合流させて効率良く排水できる排水管路であれば、どのような構成のものでもよい。
【００３８】
以上のような構成の三連結型の防水パンＰも、表面に降った雨水等がそれぞれの樋部材４ａ，４ｂ，４ｃに分かれて流れ込み、傾斜した底面４２，４２，４２に沿って最深部の排水口４３，４３，４３までスムーズに流れ、それぞれの排水口から排水管路９へ排出されて管路内で合流してすみやかに排水される。従って、この三連結型の防水パンＰも、それぞれの溝部材４ａ，４ｂ，４ｃの水の流れが良好で、それぞれの排水口４３，４３，４３により十分な排水量を確保できるため、優れた排水性能を有する。特に、この三連結型の防水パンＰは、中間パンの樋部材４ｃが中落しの樋部材であるため、底面４２の両端から中央の排水口４３に向かう水の流れが良好であり、また、中落しの樋部材４ｃの排水口４３が左落しの樋部材４ａの排水口４３と右落しの樋部材４ｂの排水口４３の中間点に位置するため、起点エルボ継手９２から中間チーズ継手９６までの排水管路９の長さ及び勾配と、中間チーズ継手９６から終点チーズ継手９３までの排水管路９の長さ及び勾配とが等しくなるように容易に配管することができる。
【００３９】
また、万一、排水管路９の接続箇所や、樋部材４ａ，４ｂ，４ｃの取付箇所から水漏れが生じるようなことがあったとしても、前述した二連結型の防水パンＰと同様に、漏れた水がボックス１０によって受け止められるので外部に漏れ出す心配はない。そして、樋部材４ａ，４ｂ，４ｃを取り外せば、それぞれの開口部３から防水パンＰの下側の点検ができるのでメンテナンスも容易である。
【００４０】
左右の端パンＰ１，Ｐ２と中間パンＰ３を連結した連結型の防水パンＰは、中間パンＰ３の連結個数を増加させることによって、四連結以上の多連結型の防水パンＰとすることができる。図６（ａ）〜（ｅ）はそのような多連結型の防水パンを例示したもので、左右の端パンと中間パンを省略し、樋部材とボックスに通される排水管路のみを表してある。
【００４１】
即ち、図６（ａ）は、左右の端パンと二つの中間パンを連結した四連結型の防水パンを示したもので、左側の端パンの開口部には前述した左落しの樋部材４ａが、右側の端パンの開口部には前述した右落しの樋部材４ｂが、二つの中間パンの開口部には前述した中落しの樋部材４ｃがそれぞれ嵌着されており、各樋部材の下側にはボックス１０が設置されている。そして、左側の中間パンの中落しの樋部材４ｃと左側の端パンの左落しの樋部材４ａから排出される雨水等を合流させて排水する左流れの排水管路９ａがボックス１０を通して設けられると共に、右側の中間パンの中落しの樋部材４ｃと右側の端パンの右落しの樋部材４ｂから排出される雨水等を合流させて排水する右流れの排水管路９ｂがボックス１０を通して設けられている。
【００４２】
また、図６（ｂ）は左右の端パンと三つの中間パンを連結した五連結型の防水パンを示したもので、左側の端パンと左から三番目の中間パンのそれぞれの開口部には左落しの樋部材４ａが、右側の端パンの開口部には右落しの樋部材４ｂが、左から二番目と四番目の中間パンのそれぞれの開口部には中落しの樋部材４ｃが嵌着されており、各樋部材の下側にはボックス１０が設置されている。そして、左から二番目の中間パンと左側の端パンのそれぞれの樋部材４ｃ，４ａから排出される雨水等を合流させて排水する左流れの排水管路９ａがボックス１０を通して設けられると共に、左側から三番目及び四番目の中間パンと右側の端パンのそれそれの樋部材４ａ，４ｃ，４ｂから排出される雨水等を合流させて排水する右流れの排水管路９ｂがボックス１０を通して設けられている。
【００４３】
次に、図６（ｃ）は左右の端パンと四つの中間パンを連結した六連結型の防水パンを示したもので、左側の端パンと左から四番目の中間パンのそれぞれの開口部には左落しの樋部材４ａが、右側の端パンと左から三番目の中間パンのそれぞれの開口部には右落しの樋部材４ｂが、左から二番目と五番目の中間パンのそれぞれの開口部には中落しの樋部材４ｃが嵌着されており、各樋部材の下側にはボックス１０が設置されている。そして、左から三番目及び二番目の中間パンと左側の端パンのそれぞれの樋部材４ｂ，４ｃ，４ａから排出される雨水等を合流させて排水する左流れの排水管路９ａがボックス１０を通して設けられると共に、左側から四番目及び五番目の中間パンと右側の端パンのそれそれの樋部材４ａ，４ｃ，４ｂから排出される雨水等を合流させて排水する右流れの排水管路９ｂがボックス１０を通して設けられている。
【００４４】
また、図６（ｄ）は左右の端パンと五つの中間パンを連結した七連結型の防水パンを示したもので、左側の端パンと左から四番目の中間パンのそれぞれの開口部には左落しの樋部材４ａが、右側の端パンと左から三番目の中間パンのそれぞれの開口部には右落しの樋部材４ｂが、左から二番目と五番目と六番目の中間パンのそれぞれの開口部には中落しの樋部材４ｃが嵌着されており、各樋部材の下側にはボックス１０が設置されている。そして、左から三番目及び二番目の中間パンと左側の端パンのそれぞれの樋部材４ｂ，４ｃ，４ａから排出される雨水等を合流させて排水する左流れの排水管路９ａがボックス１０を通して設けられると共に、左側から四番目、五番目及び六番目の中間パンと右側の端パンのそれそれの樋部材４ａ，４ｃ，４ｃ，４ｂから排出される雨水等を合流させて排水する右流れの排水管路９ｂがボックス１０を通して設けられている。
【００４５】
更に、図６（ｅ）は左右の端パンと六つの中間パンを連結した八連結型の防水パンを示したもので、左側の端パンと左から五番目の中間パンのそれぞれの開口部には左落しの樋部材４ａが、右側の端パンと左から四番目の中間パンのそれぞれの開口部には右落しの樋部材４ｂが、左から二番目、三番目、六番目及び七番目の中間パンのそれぞれの開口部には中落しの樋部材４ｃが嵌着されており、各樋部材の下側にはボックス１０が設置されている。そして、左から四番目、三番目及び二番目の中間パンと左側の端パンのそれぞれの樋部材４ｂ，４ｃ，４ｃ，４ａから排出される雨水等を合流させて排水する左流れの排水管路９ａがボックス１０を通して設けられると共に、左側から五番目、六番目及び七番目の中間パンと右側の端パンのそれそれの樋部材４ａ，４ｃ，４ｃ，４ｂから排出される雨水等を合流させて排水する右流れの排水管路９ｂがボックス１０を通して設けられている。
【００４６】
上記のように、左右の端パンと中間パンを連結した多連結型の防水パンは、中間パンの連結個数を増減することによって左右（横幅）寸法を調節できるため、間口寸法の種々異なるバルコニー等に対応することができる。そして、防水パンに降る雨水はそれぞれの樋部材４ａ，４ｂ，４ｃに分かれて流れ込み、各樋部材の排水口４３から排水管路９ａ，９ｂへ排出されてそれぞれの管路内で合流し、すみやかに排水されるため、中間パンの連結個数を増加して左右（横幅）寸法の大きい防水パンを組立てた場合でも、それぞれの樋部材４ａ，４ｂ，４ｃによって優れた排水性能が維持されると共に、十分な排水量が確保される。特に、図６に示す多連結型の防水パンのように、左流れの排水管路９ａと右流れの排水管路９ｂが設けられていると、双方の排水管路の長さが短くなって十分な流れ勾配をつけることができると共に、排水量がほぼ倍増するため、排水性能が大幅に向上することになる。また、それぞれの樋部材４ａ，４ｂ，４ｃは独立し、互いに連結されていないため、従来の連結型の樋部を取付けた防水パンのように、雨が止んだときに少量の雨水が連結部分に滞溜して汚れることもない。更に、排水管路９ａ，９ｂの配管施工を考慮して、左側の端パンの樋部材を左落しの樋部材４ａとし、右側の端パンの樋部材を右落しの樋部材４ｂとし、中間パンの樋部材として中落しの樋部４ｃ、左落しの樋部材４ａ、右落しの樋部材４ｂのいずれかを選択するようにしているため、排水管路９ａ，９ｂの配管施工が容易である。
【００４７】
【発明の効果】
以上の説明から明らかなように、本発明の防水パンは、左右（横幅）寸法をバルコニー等の間口寸法に対応して調節することができ、左右（横幅）寸法が大きくなっても優れた排水性能を維持し、従来のように雨が止んだとき樋部の連結部分に少量の水が滞溜することがなく、樋部材を取り外して防水パン下側の点検やメンテナンスを容易に行えるといった効果を奏する。
【図面の簡単な説明】
【図１】本発明の一実施形態に係る二連結型の防水パンの分解斜視図である。
【図２】同防水パンの縦断面図である。
【図３】同防水パンの一施工例を示す横断面図である。
【図４】同防水パンの部分拡大図である。
【図５】本発明の他の実施形態に係る三連結型の防水パンを一部分解して示す断面図である。
【図６】（ａ）〜（ｅ）は本発明の更に他の実施形態に係る他連結型の防水パンを例示したもので、左右の端パンと中間パンを省略して樋部材とボックスに通される排水管路のみを表した概略図てある。
【符号の説明】
Ｐ  防水パン
Ｐ１，Ｐ２  左右の端パン
Ｐ３  中間パン
１  側壁
３  矩形状の開口部
４ａ  左落しの樋部材
４ｂ  右落しの樋部材
４ｃ  中落しの樋部材
４２  樋部材の底面
４３  樋部材の排水口
９  排水管路
９ａ  左流れの排水管路
９ｂ  右流れの排水管路
１０  ボックス
９７  伸縮継手
【図１】
2005076179.tif 000003
【図２】
2005076179.tif 000004
【図３】
2005076179.tif 000005
【図４】
2005076179.tif 000006
【図５】
2005076179.tif 000007
【図６】
2005076179.tif 000008